(57)【特許請求の範囲】
【請求項１】
レンズを保持し前記レンズの光軸方向へ移動可能な可動体と、前記可動体を前記光軸方向へ移動可能に保持する固定体と、前記可動体を前記光軸方向へ駆動する駆動機構とを備えるとともに、前記光軸方向の一方側を反被写体側とし、前記光軸方向の他方側を被写体側とすると、前記固定体の内部でかつ反被写体側で前記可動体と前記固定体とを繋ぐ板バネを備え、
前記駆動機構は、前記固定体の内部に配置される駆動用コイルおよび駆動用磁石を備え、
前記固定体は、前記駆動用コイルに電流を供給するための給電用端子と、前記給電用端子が固定されるとともに前記固定体の反被写体側部分を構成するベース部材とを備え、
前記板バネには、前記駆動用コイルが電気的に接続され、
前記板バネと前記給電用端子とは、前記ベース部材の反被写体側で互いに固定されて、電気的に接続されており、
前記ベース部材には、前記板バネの一部が配置される配置孔が前記光軸方向で前記ベース部材を貫通するように形成され、
前記板バネは、前記ベース部材の被写体側の面に固定される固定体固定部と、前記ベース部材の反被写体側で前記給電用端子に接続される端子接続部と、前記配置孔に配置され前記固定体固定部と前記端子接続部とを繋ぐ連結部とを備え、
前記連結部は、前記固定体固定部と略直交するように繋がるとともに、前記端子接続部と略直交するように繋がっていることを特徴とするレンズ駆動装置。
【請求項２】
前記連結部は、前記光軸方向に弾性変形可能となっていることを特徴とする請求項１記載のレンズ駆動装置。
【請求項３】
前記連結部は、前記光軸方向へ弾性変形可能なように蛇行していることを特徴とする請求項２記載のレンズ駆動装置。
【請求項４】
一対の前記板バネと、一対の前記給電用端子とを備え、
一対の前記板バネのうちの一方の前記板バネと、一対の前記給電用端子のうちの一方の前記給電用端子とが接続され、
一対の前記板バネのうちの他方の前記板バネと、一対の前記給電用端子のうちの他方の前記給電用端子とが接続され、
前記光軸方向から見たときに、一方の前記板バネは、一方の前記給電用端子とは重なるが他方の前記給電用端子とは重ならず、かつ、他方の前記板バネは、他方の前記給電用端子とは重なるが一方の前記給電用端子とは重なっていないことを特徴とする請求項１から３のいずれかに記載のレンズ駆動装置。
【請求項５】
前記給電用端子は、前記端子接続部に接続されるバネ接続部を備え、
前記バネ接続部は、鉤状に形成され、
前記端子接続部には、前記バネ接続部が挿通される挿通孔が前記端子接続部を貫通するように形成されるとともに、前記バネ接続部に係合する舌部が前記挿通孔の縁から前記挿通孔の内側へ突出するように形成されていることを特徴とする請求項１から４のいずれかに記載のレンズ駆動装置。
【請求項６】
前記給電用端子は、導電性を有する平板が折り曲げられることで形成され、
前記舌部は、前記光軸方向と前記バネ接続部の厚み方向とに略直交する方向に突出していることを特徴とする請求項５記載のレンズ駆動装置。
【請求項７】
前記給電用端子は、導電性を有する平板が折り曲げられることで形成され、
前記光軸方向と前記バネ接続部の厚み方向とに略直交する方向における前記バネ接続部の最大幅と、前記挿通孔の最大幅とが略等しくなっていることを特徴とする請求項５または６記載のレンズ駆動装置。
【請求項８】
前記ベース部材の反被写体側の面には、被写体側に向かって窪む凹部が形成され、
前記板バネと前記給電用端子とは、前記凹部の中で接続され、
前記凹部には、接着剤が充填されていることを特徴とする請求項１から７のいずれかに記載のレンズ駆動装置。
【請求項９】
前記レンズ駆動装置は、光軸方向から見たときの形状が略四角形状となるように形成され、
前記駆動用磁石は、略三角柱状に形成されるとともに前記レンズ駆動装置の四隅のそれぞれに配置され、
前記駆動用コイルは、略四角筒状に形成されるとともに前記レンズ駆動装置の側面に沿うように前記駆動用磁石の外周側に配置されていることを特徴とする請求項１から８のいずれかに記載のレンズ駆動装置。
【発明の詳細な説明】
【技術分野】
【０００１】
本発明は、携帯電話等で使用される比較的小型のカメラに搭載されるレンズ駆動装置に関する。
【背景技術】
【０００２】
従来、携帯電話等に搭載されるカメラの撮影用レンズを駆動するレンズ駆動装置として、レンズを保持して光軸方向へ移動するスリーブと、スリーブを光軸方向へ駆動するための駆動用コイルおよび駆動用磁石を有する駆動機構と、スリーブおよび駆動機構等が内部に配置される支持体とを備えるレンズ駆動装置が知られている（たとえば、特許文献１参照）。特許文献１に記載のレンズ駆動装置では、支持体は、支持体の反被写体側部分を構成するホルダと、スリーブおよび駆動機構の外周側を覆う箱状のヨークとを備えている。
【０００３】
また、このレンズ駆動装置では、スリーブは、スリーブの反被写体側に配置される２個の第１バネ部材（板バネ）と、スリーブの被写体側に配置される１個の第２バネ部材（板バネ）とによって、光軸方向への移動が可能となるように支持体に支持されている。２個の第１バネ部材のそれぞれには、駆動用コイルの両端部のそれぞれが接続されている。また、２個の第１バネ部材のそれぞれには、ホルダに固定された給電用の端子が接続されている。第１バネ部材と給電用の端子とは、ホルダの被写体側で接続されており、第１バネ部材と給電用の端子との接続部分は、支持体の内部に配置されている。このレンズ駆動装置では、端子および第１バネ部材を介して、駆動用コイルに電流が供給される。
【先行技術文献】
【特許文献】
【０００４】
【特許文献１】特開２０１０−６６２８６号公報
【発明の概要】
【発明が解決しようとする課題】
【０００５】
近年、携帯電話等に搭載されるカメラの市場では、カメラの小型化の要求が一段と高まっており、そのため、カメラに使用されるレンズ駆動装置の小型化の要求も一段と高まっている。しかしながら、特許文献１に記載のレンズ駆動装置では、第１バネ部材と給電用の端子との接続部分が支持体の内部に配置されており、支持体の内部に第１バネ部材と給電用の端子との接続部分の配置スペースを確保する必要がある。そのため、このレンズ駆動装置では、装置が小型化していくと、支持体の内部の、駆動用磁石および駆動用コイルの配置スペースが狭くなって、駆動機構の駆動力が低下するおそれがある。
【０００６】
そこで、本発明の課題は、装置が小型化しても、レンズを駆動するための駆動機構の駆動力の低下を抑制することが可能なレンズ駆動装置を提供することにある。
【課題を解決するための手段】
【０００７】
上記の課題を解決するため、本発明のレンズ駆動装置は、レンズを保持しレンズの光軸方向へ移動可能な可動体と、可動体を光軸方向へ移動可能に保持する固定体と、可動体を光軸方向へ駆動する駆動機構とを備えるとともに、光軸方向の一方側を反被写体側とし、光軸方向の他方側を被写体側とすると、固定体の内部でかつ反被写体側で可動体と固定体とを繋ぐ板バネを備え、駆動機構は、固定体の内部に配置される駆動用コイルおよび駆動用磁石を備え、固定体は、駆動用コイルに電流を供給するための給電用端子と、給電用端子が固定されるとともに固定体の反被写体側部分を構成するベース部材とを備え、板バネには、駆動用コイルが電気的に接続され、板バネと給電用端子とは、ベース部材の反被写体側で互いに固定されて、電気的に接続されており、ベース部材には、板バネの一部が配置される配置孔が光軸方向でベース部材を貫通するように形成され、板バネは、ベース部材の被写体側の面に固定される固定体固定部と、ベース部材の反被写体側で給電用端子に接続される端子接続部と、配置孔に配置され固定体固定部と端子接続部とを繋ぐ連結部とを備え、連結部は、固定体固定部と略直交するように繋がるとともに、端子接続部と略直交するように繋がっていることを特徴とする。
【０００８】
本発明のレンズ駆動装置では、固定体は、固定体の反被写体側部分を構成するベース部材を備えており、可動体と固定体とを繋ぐ板バネと駆動用コイルに電流を供給するための給電用端子とが、ベース部材の反被写体側で互いに固定されている。すなわち、本発明では、固定体の内部ではなく、固定体の外側で、板バネと給電用端子とが接続されている。そのため、固定体の内部に板バネと給電用端子との接続部分を配置するスペースを確保する必要がない。したがって、レンズ駆動装置が小型化して、固定体が小型化しても、固定体の内部に駆動用コイルおよび駆動用磁石の配置スペースを確保することが可能になる。その結果、本発明では、レンズ駆動装置が小型化しても、レンズを駆動するための駆動機構の駆動力の低下を抑制することが可能になる。
【０００９】
また、本発明では、ベース部材には、板バネの一部が配置される配置孔が光軸方向でベース部材を貫通するように形成され、板バネは、ベース部材の被写体側の面に固定される固定体固定部と、給電用端子に接続される端子接続部と、配置孔に配置され固定体固定部と端子接続部とを繋ぐ連結部とを備え、連結部は、固定体固定部と略直交するように繋がるとともに、端子接続部と略直交するように繋がっているため、固定体の内部で可動体と固定体とを繋ぐ板バネの一部を比較的簡易な構成で固定体の外側に配置して、固定体の外側で板バネと給電用端子とを接続することが可能になる。
【００１０】
本発明において、連結部は、光軸方向に弾性変形可能となっていることが好ましい。このように構成すると、たとえば、給電用端子と端子接続部との接続部分の残留応力の影響で、あるいは、レンズ駆動装置が使用される環境温度の変化等の影響で、端子接続部を移動させるような力が端子接続部に作用しても、連結部を弾性変形させて、固定体固定部がベース部材の被写体側の面から外れてしまうのを防止することが可能になる。
【００１１】
本発明において、連結部は、光軸方向へ弾性変形可能なように蛇行していることが好ましい。このように構成すると、連結部が光軸方向へより弾性変形しやすくなる。したがって、たとえば、給電用端子と端子接続部との接続部分の残留応力の影響等で、端子接続部を移動させるような力が端子接続部に作用しても、連結部を弾性変形させて、固定体固定部がベース部材の被写体側の面から外れてしまうのを効果的に防止することが可能になる。また、このように構成すると、端子接続部から連結部を経由して固定体固定部へ至るまでの距離を長くすることが可能になる。したがって、たとえば、給電用端子と端子接続部とを半田付けして接続する際の熱であって、板バネを介してベース部材に伝達される熱の量を低減することが可能になる。その結果、熱の影響によるベース部材の損傷を防止することが可能になる。
【００１２】
本発明において、レンズ駆動装置は、一対の板バネと、一対の給電用端子とを備え、一対の板バネのうちの一方の板バネと、一対の給電用端子のうちの一方の給電用端子とが接続され、一対の板バネのうちの他方の板バネと、一対の給電用端子のうちの他方の給電用端子とが接続され、光軸方向から見たときに、一方の板バネは、一方の給電用端子とは重なるが他方の給電用端子とは重ならず、かつ、他方の板バネは、他方の給電用端子とは重なるが一方の給電用端子とは重なっていないことが好ましい。このように構成すると、レンズ駆動装置に大きな衝撃が加わって、可動体が光軸方向へ大きく移動し、板バネが大きく撓んだとしても、一方の板バネと他方の給電用端子との接触を防止し、かつ、他方の板バネと一方の給電用端子とは接触を防止することが可能になる。したがって、短絡を防止することが可能になる。
【００１３】
本発明において、給電用端子は、端子接続部に接続されるバネ接続部を備え、バネ接続部は、鉤状に形成され、端子接続部には、バネ接続部が挿通される挿通孔が端子接続部を貫通するように形成されるとともに、バネ接続部に係合する舌部が挿通孔の縁から挿通孔の内側へ突出するように形成されていることが好ましい。このように構成すると、舌部を用いて、挿通孔に挿通されたバネ接続部に端子接続部を仮固定することが可能になる。したがって、端子接続部とバネ接続部とを接続する際の作業が容易になる。
【００１４】
本発明において、給電用端子は、導電性を有する平板が折り曲げられることで形成され、舌部は、光軸方向とバネ接続部の厚み方向とに略直交する方向に突出していることが好ましい。このように構成すると、バネ接続部の厚み方向に舌部が突出している場合と比較して、舌部がバネ接続部に係合しやすくなる。したがって、挿通孔に挿通されたバネ接続部に端子接続部を仮固定しやすくなる。
【００１５】
本発明において、給電用端子は、導電性を有する平板が折り曲げられることで形成され、光軸方向とバネ接続部の厚み方向とに略直交する方向におけるバネ接続部の最大幅と、挿通孔の最大幅とが略等しくなっていることが好ましい。このように構成すると、挿通孔に挿通されたバネ接続部が挿通孔から抜けにくくなる。したがって、バネ接続部に端子接続部を仮固定しやすくなる。また、このように構成すると、端子接続部とバネ接続部とを接続する際の、端子接続部とバネ接続部との相対位置のばらつきを抑制することが可能になる。
【００１６】
本発明において、ベース部材の反被写体側の面には、被写体側に向かって窪む凹部が形成され、板バネと給電用端子とは、凹部の中で接続され、凹部には、接着剤が充填されていることが好ましい。このように構成すると、固定体の内部で可動体と固定体とを繋ぐ板バネの一部がベース部材の外側に配置されていても、固定体の内部に塵埃が入り込むのを防止することが可能になる。
【００１７】
本発明において、たとえば、レンズ駆動装置は、光軸方向から見たときの形状が略四角形状となるように形成され、駆動用磁石は、略三角柱状に形成されるとともにレンズ駆動装置の四隅のそれぞれに配置され、駆動用コイルは、略四角筒状に形成されるとともにレンズ駆動装置の側面に沿うように駆動用磁石の外周側に配置されている。この場合には、デッドスペースとなりやすいレンズ駆動装置の四隅に駆動用磁石が配置されるため、レンズ駆動装置を小型化することが可能になる。一方、この場合には、レンズ駆動装置の四隅に駆動用磁石が配置され、さらに、その外周側に駆動用コイルが配置されているため、固定体の内部で板バネと給電用端子とが接続されると、その接続作業が困難になるが、本発明では、固定体の外側で板バネと給電用端子とが接続されているため、この場合であっても、板バネと給電用端子との接続作業を容易に行うことが可能になる。
【発明の効果】
【００１８】
以上のように、本発明では、レンズ駆動装置が小型化しても、レンズを駆動するための駆動機構の駆動力の低下を抑制することが可能になる。
【図面の簡単な説明】
【００１９】
【図１】本発明の実施の形態にかかるレンズ駆動装置の斜視図である。
【図２】図１のＥ−Ｅ断面の断面図である。
【図３】図１に示すレンズ駆動装置の分解斜視図である。
【図４】図３に示すスリーブ、駆動用磁石および駆動用コイルの配置関係を説明するための平面図である。
【図５】図３に示す板バネと給電用端子との接続部分を示す斜視図である。
【図６】図３に示す給電用端子の斜視図である。
【図７】（Ａ）は、一方の板バネの端子接続部および連結部を説明するための拡大斜視図であり、（Ｂ）は、他方の板バネの端子接続部および連結部を説明するための拡大斜視図である。
【図８】図７に示す端子接続部の平面図である。
【図９】図１に示すレンズ駆動装置を反被写体側から示す斜視図である。
【図１０】図３に示すベース部材の一部の平面図である。
【図１１】図３に示す板バネと給電用端子とが接続された状態の平面図である。
【図１２】本発明の他の実施の形態にかかる板バネの連結部の構成を示す正面図である。
【発明を実施するための形態】
【００２０】
以下、図面を参照しながら、本発明の実施の形態を説明する。
【００２１】
（レンズ駆動装置の全体構成）
図１は、本発明の実施の形態にかかるレンズ駆動装置１の斜視図である。図２は、図１のＥ−Ｅ断面の断面図である。図３は、図１に示すレンズ駆動装置１の分解斜視図である。図４は、図３に示すスリーブ８、駆動用磁石１５および駆動用コイル１６の配置関係を説明するための平面図である。なお、以下の説明では、図１等に示すように、互いに直交する３方向のそれぞれをＸ方向、Ｙ方向およびＺ方向とし、Ｘ方向を左右方向、Ｙ方向を前後方向、Ｚ方向を上下方向とする。また、図１等のＸ１方向側を「右」側、Ｘ２方向側を「左」側、Ｙ１方向側を「前」側、Ｙ２方向側を「後（後ろ）」側、Ｚ１方向側を「上」側、Ｚ２方向側を「下」側とする。
【００２２】
本形態のレンズ駆動装置１は、携帯電話、ドライブレコーダあるいは監視カメラシステム等で使用される比較的小型のカメラに搭載されるものであり、図１に示すように、全体として略四角柱状に形成されている。すなわち、レンズ駆動装置１は、撮影用のレンズの光軸Ｌの方向（光軸方向）から見たときの形状が略四角形状となるように形成されている。本形態では、レンズ駆動装置１は、光軸方向から見たときの形状が略正方形状となるように形成されている。また、レンズ駆動装置１の４つの側面は、左右方向または前後方向と略平行になっている。
【００２３】
本形態では、Ｚ方向（上下方向）が光軸方向とほぼ一致している。また、本形態のレンズ駆動装置１が搭載されるカメラでは、下側に図示を省略する撮像素子が配置されており、上側に配置される被写体が撮影される。すなわち、本形態では、上側（Ｚ１方向側）は被写体側（物体側）であり、下側（Ｚ２方向側）は反被写体側（撮像素子側、像側）である。なお、本形態では、下側は、光軸方向の一端側であり、上側は、光軸方向の他端側である。
【００２４】
レンズ駆動装置１は、図１、図２に示すように、撮影用のレンズを保持し光軸方向へ移動可能な可動体２と、可動体２を光軸方向へ移動可能に保持する固定体３と、可動体２を光軸方向へ駆動するための駆動機構４とを備えている。また、レンズ駆動装置１は、可動体２と固定体３とを繋ぐ板バネ５、６を備えている。すなわち、可動体２は、板バネ５、６を介して固定体３に移動可能に保持されている。本形態では、１個の板バネ５が可動体２の上端側に配置され、一対（２個）の板バネ６が可動体２の下端側に配置されている。
【００２５】
可動体２は、複数のレンズが固定されたレンズホルダ７を保持するスリーブ８を備えている。固定体３は、レンズ駆動装置１の上端面を構成するカバー部材９と、レンズ駆動装置１の４つの側面を構成するカバー部材１０と、レンズ駆動装置１の下端面を構成するベース部材１１と、板バネ５の一部が固定されるスペーサ１２と、カバー部材９とスペーサ１２との間に配置されるシール部材１３と、後述の駆動用コイル１６に電流を供給するための一対（２個）の給電用端子１４とを備えている。なお、図２、図３では、レンズホルダ７の図示を省略している。
【００２６】
レンズホルダ７は、略円筒状に形成されている。このレンズホルダ７の内周側には、光軸方向から見たときの形状が略円形状となる複数のレンズが固定されている。
【００２７】
スリーブ８は、たとえば、樹脂材料で形成されるとともに、略筒状に形成されている。具体的には、スリーブ８は、上下方向から見たときの内周面の形状が略円形状となり、上下方向から見たときの外周面の形状が略八角形状となる略筒状に形成されている。また、スリーブ８の下端側には、レンズ駆動装置１の四隅の方向へ突出する突出部８ａが形成されており、上下方向から見たときのスリーブ８の下端側部分の形状は略正方形状となっている。このスリーブ８は、その内周側でレンズホルダ７を保持している。すなわち、スリーブ８の内周面にレンズホルダ７の外周面が固定されている。
【００２８】
カバー部材１０は、磁性材料で形成されるとともに、金属材料で形成されている。たとえば、カバー部材１０は、磁性を有する鋼板によって形成されている。また、カバー部材１０は、底部１０ａと筒部１０ｂとを有する底付きの略四角筒状に形成されている。上側に配置される底部１０ａの中心には、貫通孔１０ｃが形成されている。カバー部材１０は、可動体２の上端側の一部を除く大半部分および駆動機構４の外周側を囲むように配置されている。
【００２９】
カバー部材９は、金属材料で形成されている。たとえば、カバー部材９は、非磁性のステンレス鋼板で形成されている。また、カバー部材９は、底部９ａと筒部９ｂとを有する底付きの略四角筒状に形成されている。筒部９ｂの上下方向の幅は、カバー部材１０の筒部１０ｂの上下方向の幅よりも狭くなっている。上側に配置される底部９ａの中心には、貫通孔９ｃが形成されている。
【００３０】
カバー部材９は、カバー部材１０の上端側に溶接によって固定されており、レンズ駆動装置１の上端側部分を構成するとともに、固定体３の上端側部分を構成している。また、カバー部材９は、可動体２の上端側の一部の外周側を囲むように配置されている。カバー部材９の筒部９ｂの下端には、溶接によってカバー部材１０に固定される被固定部９ｄが形成されている。被固定部９ｄは、筒部９ｂの前後の側面の左右両端から下方向へ突出するように形成されている。
【００３１】
ベース部材１１は、絶縁性を有する樹脂材料で形成されている。また、ベース部材１１は、光軸方向から見たときの形状が略正方形となるブロック状に形成されている。このベース部材１１は、カバー部材１０の下端側に固定されており、レンズ駆動装置１の下端側部分を構成するとともに、固定体３の下端側部分を構成している。ベース部材１１の中心には、貫通孔１１ａが形成されている。ベース部材１１の詳細な構成については後述する。
【００３２】
板バネ５は、スリーブ８の上端側に固定される円環状の可動体固定部５ａと、可動体固定部５ａの外周側に配置され、スペーサ１２およびカバー部材１０に固定される略正方形の枠状の固定体固定部５ｂと、可動体固定部５ａと固定体固定部５ｂとを繋ぐ４本の腕部５ｃとを備えている。この板バネ５は、可動体固定部５ａおよび固定体固定部５ｂの厚さ方向と上下方向とが略一致するように、スリーブ８、カバー部材１０およびスペーサ１２に固定されている。
【００３３】
板バネ６は、スリーブ８の下端側に固定される略半円弧状の可動体固定部６ａと、可動体固定部６ａの外周側に配置され、ベース部材１１に固定される略三角形状の２個の固定体固定部６ｂと、可動体固定部６ａと固定体固定部６ｂとを繋ぐ２本の腕部６ｃとを備えている。この板バネ６は、可動体固定部６ａおよび固定体固定部６ｂの厚さ方向と上下方向とが略一致するように、スリーブ８およびベース部材１１に固定されている。板バネ６の詳細な構成については後述する。
【００３４】
スペーサ１２は、金属材料で形成されるとともに、略正方形の枠状に形成されている。シール部材１３は、ゴム状の弾性力を有する工業用材料であるエストラマーによって形成されている。また、シール部材１３は、略正方形の枠状に形成されている。スペーサ１２およびシール部材１３は、上下方向から見たときに板バネ５の固定体固定部５ｂと重なるように形成されている。スペーサ１２の下面には、板バネ５の固定体固定部５ｂの上面が固定されている。また、固定体固定部５ｂの下面は、カバー部材１０の底部１０ａの上面に固定されている。シール部材１３は、スペーサ１２の上面とカバー部材９の底部９ａの下面との間に配置されている。
【００３５】
給電用端子１４は、導電性を有する平板状の金属材料が折り曲げられて形成されている。この給電用端子１４は、ベース部材１１に固定されている。給電用端子１４の詳細な構成については後述する。
【００３６】
駆動機構４は、レンズ駆動装置１の四隅（具体的には、カバー部材１０の内側の四隅）に配置される略三角柱状の４個の駆動用磁石１５と、スリーブ８に固定される１個の駆動用コイル１６とを備えている。駆動用磁石１５および駆動用コイル１６は、固定体３の内部に配置されている。
【００３７】
駆動用磁石１５は、上下方向から見たときの形状が略直角三角形となるように形成されており、光軸Ｌに略平行でかつ互いに直交する矩形状の側面１５ａ、１５ｂを備えている。この駆動用磁石１５は、カバー部材１０の筒部１０ｂの内周面と側面１５ａ、１５ｂとが略平行に、かつ、所定の隙間をあけて対向するように配置されている。また、４個の駆動用磁石１５は、カバー部材１０の底部１０ａに固定されている。具体的には、４個の駆動用磁石１５の上端面が、底部１０ａの下面に当接した状態で、底部１０ａの下面に接着等によって固定されている。また、４個の駆動用磁石１５の上端面は、底部１０ａによって完全に覆われている。
【００３８】
駆動用磁石１５の下端面には、磁性材料で形成された磁性部材１７が固定されている。磁性部材１７は、上下方向から見たときの形状が駆動用磁石１５と同様の略直角三角形状となる平板状に形成されており、互いに直交する２個の端面１７ａ、１７ｂを備えている。この磁性部材１７は、その厚さ方向と上下方向とが略一致するように駆動用磁石１５の下端面に固定されている。また、磁性部材１７は、端面１７ａが駆動用磁石１５の側面１５ａと同一平面上に配置され、端面１７ｂが駆動用磁石１５の側面１５ｂと同一平面上に配置されるように、駆動用磁石１５の下端面に固定されている。
【００３９】
駆動用磁石１５は、上端面の磁極と下端面の磁極とが異なるように、上下方向で２極に着磁されている。たとえば、駆動用磁石１５の上端面がＳ極となり、駆動用磁石１５の下端面がＮ極となるように着磁されている。そのため、レンズ駆動装置１では、カバー部材１０の筒部１０ｂ、底部１０ａ、駆動用磁石１５および磁性部材１７を通過するとともに、磁性部材１７の下面や端面から筒部１０ｂの内周面に向かって回り込む磁界が形成されている。なお、駆動用磁石１５の下端面と磁性部材１７の上面との当接部分の近傍からも筒部１０ｂの内周面に向かって磁界が回り込んでいる。
【００４０】
駆動用コイル１６は、上下方向から見たときの形状が略正方形状となるように扁平な略四角筒状に巻回されている。この駆動用コイル１６は、スリーブ８の突出部８ａの上面に固定されている。駆動用コイル１６は、カバー部材１０の筒部１０ｂの内周面に沿うように配置されており、駆動用コイル１６の四隅およびその近傍部分は、駆動用磁石１５の側面１５ａ、１５ｂおよび磁性部材１７の端面１７ａ、１７ｂとカバー部材１０の筒部１０ｂとの隙間に配置されている。すなわち、駆動用コイル１６の四隅およびその近傍部分は、駆動用磁石１５および磁性部材１７の外周側に配置されている。
【００４１】
また、駆動用コイル１６の四隅およびその近傍部分は、磁性部材１７の下面や端面１７ａ、１７ｂから筒部１０ｂの内周面に向かって回り込む磁界の中に配置されている。本形態では、可動体２の可動範囲において、駆動用コイル１６の内周側に磁性部材１７が常に配置されるように、駆動用コイル１６が配置されている。駆動用コイル１６に電流が供給されると、駆動用磁石１５と駆動用コイル１６との作用で、可動体２が上下方向（光軸方向）へ移動する。
【００４２】
（ベース部材、板バネおよび給電用端子の構成）
図５は、図３に示す板バネ６と給電用端子１４との接続部分を示す斜視図である。図６は、図３に示す給電用端子１４の斜視図である。図７（Ａ）は、一方の板バネ６Ａの端子接続部６ｅおよび連結部６ｆを説明するための拡大斜視図であり、図７（Ｂ）は、他方の板バネ６Ｂの端子接続部６ｅおよび連結部６ｆを説明するための拡大斜視図である。図８は、図７に示す端子接続部６ｅの平面図である。図９は、図１に示すレンズ駆動装置１を反被写体側から示す斜視図である。図１０は、図３に示すベース部材１１の前端側の平面図である。図１１は、図３に示す板バネ６と給電用端子１４とが接続された状態の平面図である。
【００４３】
給電用端子１４は、上述のように、平板状の金属材料が折り曲げられて形成されている。この給電用端子１４は、レンズ駆動装置１が搭載されるカメラに設けられた基板やコネクタ等に接続される端子部１４ａと、板バネ６に接続されるバネ接続部１４ｂと、端子部１４ａとバネ接続部１４ｂと繋ぐ連結部１４ｃとを備えている。端子部１４ａは、上下方向（Ｚ方向）と左右方向（Ｘ方向）とから形成されるＺＸ平面と略平行に配置されている。バネ接続部１４ｂは、前後方向（Ｙ方向）と上下方向（Ｚ方向）とから形成されるＹＺ平面に略平行に配置されている。連結部１４ｃは、左右方向（Ｘ方向）と前後方向（Ｙ方向）とから形成されるＸＹ平面に略平行に配置されている。
【００４４】
連結部１４ｃは、端子部１４ａの上端から後ろ方向へ略直角に折れ曲がるように形成されている。また、連結部１４ｃは、左右方向の外側へ伸びるように形成されている。バネ接続部１４ｂは、連結部１４ｃの左右方向の外側端から下方向へ略直角に折れ曲がるように形成されている。バネ接続部１４ｂは、鉤状に形成されている。具体的には、略長方形の平板にその後端面から前方向に向かって切り欠かれた切欠き部１４ｄが形成されることで、バネ接続部１４ｂが鉤状に形成されている。切欠き部１４ｄは、切欠き部１４ｄの下端側の側面を構成するとともにＸＹ平面に略平行な平面状の平面部と、後ろ上がりで傾斜する平面状の平面部と、この２個の平面部を滑らかに繋ぐ曲面状の曲面部とによって構成されている。
【００４５】
２個の給電用端子１４は、左右方向に所定の間隔をあけた状態で、ベース部材１１に固定されている。以下では、２個の給電用端子１４を区別して表す場合には、右側に配置される一方の給電用端子１４を「給電用端子１４Ａ」と表記し、左側に配置される他方の給電用端子１４を「給電用端子１４Ｂ」と表記する。
【００４６】
板バネ６は、上述のように、可動体固定部６ａと、２個の固定体固定部６ｂと、２本の腕部６ｃとを備えている。可動体固定部６ａ、固定体固定部６ｂおよび腕部６ｃは、固定体３の内部に配置されており、板バネ６は、固定体３の内部で可動体２と固定体３とを繋いでいる。
【００４７】
固定体固定部６ｂは、ベース部材１１の上面の四隅に形成される後述のバネ固定面１１ｂに固定されている。具体的には、２個の板バネ６のうちの一方の板バネ６の固定体固定部６ｂは、ベース部材１１の右前端の隅に形成されるバネ固定面１１ｂおよび右後端の隅に形成されるバネ固定面１１ｂに固定され、２個の板バネ６のうちの他方の板バネ６の固定体固定部６ｂは、ベース部材１１の左前端の隅に形成されるバネ固定面１１ｂおよび左後端の隅に形成されるバネ固定面１１ｂに固定されている。以下では、２個の板バネ６を区別して表す場合には、一方の板バネ６を「板バネ６Ａ」と表記し、他方の板バネ６を「板バネ６Ｂ」と表記する。固定体固定部６ｂには、バネ固定面１１ｂに形成される後述の突起１１ｃに係合する丸孔状の貫通孔６ｄが形成されている。
【００４８】
また、板バネ６は、給電用端子１４のバネ接続部１４ｂに接続される１個の端子接続部６ｅを備えている。端子接続部６ｅは、連結部６ｆを介して、固定体固定部６ｂに繋がっている。すなわち、連結部６ｆは、端子接続部６ｅと固定体固定部６ｂとを繋いでいる。板バネ６Ａの端子接続部６ｅは、板バネ６Ａの２個の固定体固定部６ｂのうちの、ベース部材１１の右前端の隅に形成されるバネ固定面１１ｂに固定される固定体固定部６ｂに連結部６ｆを介して繋がっている。板バネ６Ｂの端子接続部６ｅは、板バネ６Ｂの２個の固定体固定部６ｂのうちの、ベース部材１１の左前端の隅に形成されるバネ固定面１１ｂに固定される固定体固定部６ｂに連結部６ｆを介して繋がっている。
【００４９】
可動体固定部６ａ、２個の固定体固定部６ｂおよび２本の腕部６ｃは、ＸＹ平面と略平行に配置されている。また、端子接続部６ｅもＸＹ平面と略平行に配置されている。連結部６ｆは、ＺＸ平面と略平行に配置されている。また、連結部６ｆは、固定体固定部６ｂの前端から下方向へ略直角に折れ曲がるように形成され、端子接続部６ｅは、連結部６ｆの下端から後ろ方向へ略直角に折れ曲がるように形成されている。
【００５０】
端子接続部６ｅは、略長方形状に形成されている。端子接続部６ｅの中心には、板バネ１４のバネ接続部１４ｂが挿通される略長方形状の挿通孔６ｇが端子接続部６ｅを貫通するように形成されている。挿通孔６ｇには、バネ接続部１４ｂの一部が配置されている。挿通孔６ｇの後端の縁には、バネ接続部１４ｂの切欠き部１４ｄに係合する舌部６ｈが形成されている。舌部６ｈは、挿通孔６ｇの内側へ（すなわち、前側へ）突出している。
【００５１】
前後方向における挿通孔６ｇの最大幅（すなわち、舌部６ｈが形成されていない部分の幅）Ｗ１（図８参照）は、前後方向におけるバネ接続部１４ｂの最大幅（すなわち、切欠き部１４ｄが形成されていない部分の幅）Ｗ２と略等しくなっている。具体的には、幅Ｗ１は、幅Ｗ２よりも若干大きくなっている。なお、図８に示すように、左右方向における挿通孔６ｇの、舌部６ｈが形成された部分の幅は、舌部６ｈが形成されていない部分の幅よりも広くなっている。また、左右方向における挿通孔６ｇの、舌部６ｈが形成されていない部分の幅は、バネ接続部１４ｂの厚さよりも大きくなっている。
【００５２】
連結部６ｆは、上下方向に弾性変形可能となるように形成されている。本形態では、連結部６ｆは、左右方向で蛇行するように形成されている。具体的には、図７に示すように、略長方形の平板に、その左端面から右方向へ向かって切り欠かれた略Ｕ形状の切欠き部６ｊおよびその右端面から左方向へ向かって切り欠かれた略Ｕ形状の切欠き部６ｋが形成されることで、連結部６ｆが形成されており、連結部６ｆは、このように形成されることで左右方向で蛇行している。また、連結部６ｆは、給電用端子１４のバネ接続部１４ｂの前側に配置されている。
【００５３】
固定体固定部６ｂと連結部６ｆとの境界部６ｍの幅（左右方向の幅）、および、端子接続部６ｅと連結部６ｆとの境界部６ｎの幅（左右方向の幅）は、連結部６ｆの全体の幅（左右方向の幅）Ｗ３よりも狭くなっている。境界部６ｍは、連結部６ｆの上端の左右方向における外側部分に形成され、境界部６ｎは、連結部６ｆの下端の左右方向における内側部分に形成されている。また、境界部６ｍ、６ｎの幅は、連結部６ｆの蛇行方向に沿った連結部６ｆの幅Ｗ４と略等しくなっている。
【００５４】
ベース部材１１は、上述のように、光軸方向から見たときの形状が略正方形となるブロック状に形成されている。ベース部材１１の上面の四隅には、板バネ６の固定体固定部６ｂが固定されるバネ固定面１１ｂが形成されている。バネ固定面１１ｂは、ＸＹ平面に略平行な平面状に形成されている。バネ固定面１１ｂには、固定体固定部６ｂの貫通孔６ｄに挿通される突起１１ｃが上側へ立ち上るように形成されている。
【００５５】
ベース部材１１の下端側には、図９に示すように、ベース部材１１の下面１１ｄから下側に向かって立ち上る外周壁部１１ｅが形成されている。外周壁部１１ｅは、下面１１ｄの外周端に沿って形成されている。ベース部材１１の前側に配置される外周壁部１１ｅの一部は、後ろ側に向かって窪んでいる。具体的には、左右方向に所定の間隔をあけた２箇所において、外周壁部１１ｅの一部が後ろ側に向かって窪んでいる。この窪んでいる部分は、給電用端子１４の端子部１４ａをレンズ駆動装置１の外部に露出させるための端子露出部１１ｆとなっている。
【００５６】
ベース部材１１の前端側には、給電用端子１４の端子部１４ａが挿通される挿通孔１１ｇが形成されている（図１０参照）。挿通孔１１ｇには、端子部１４ａの一部が配置されている。挿通孔１１ｇは、上下方向でベース部材１１を貫通するように形成されるとともに、左右方向に所定の間隔をあけた状態で２箇所に形成されている。また、挿通孔１１ｇは、端子露出部１１ｆに繋がるように形成されており、挿通孔１１ｇに挿通された端子部１４ａの先端側（下端側）は、図１に示すように、レンズ駆動装置１の外部に露出する。
【００５７】
また、ベース部材１１の前端側には、給電用端子１４のバネ接続部１４ｂおよび板バネ６の連結部６ｆが挿通される配置孔１１ｈが形成されている（図１０参照）。配置孔１１ｈには、バネ接続部１４ｂおよび連結部６ｆの一部が配置されている。配置孔１１ｈは、上下方向でベース部材１１を貫通するように形成されるとともに、左右方向における挿通孔１１ｇの外側の２箇所に形成されている。上下方向から見たときの配置孔１１ｈの形状は、略Ｔ形状となっている。
【００５８】
ベース部材１１の下面１１ｄの右前端の隅および左前端の隅には、図９に示すように、上方向に向かって窪む凹部１１ｊが形成されている。凹部１１ｊは、配置孔１１ｈが形成される部分に対応するように形成されており、配置孔１１ｈの下端は、凹部１１ｊの中に配置されている。
【００５９】
２個の板バネ６のそれぞれには、駆動用コイル１６の両端部のそれぞれが半田付け等されて固定されており、電気的に接続されている。本形態では、可動体固定部６ａに駆動用コイル１６の端部が半田付けされて固定されている。また、板バネ６Ａと給電用端子１４Ａとが半田付け等されて固定されており、電気的に接続されている。具体的には、板バネ６Ａの端子接続部６ｅと給電用端子１４Ａのバネ接続部１４ｂとが半田付け等されて固定されている。また、板バネ６Ｂと給電用端子１４Ｂとが半田付け等されて固定されており、電気的に接続されている。具体的には、板バネ６Ｂの端子接続部６ｅと給電用端子１４Ｂのバネ接続部１４ｂとが半田付け等されて固定されている。
【００６０】
端子接続部６ｅおよびバネ接続部１４ｂは、図９に示すように、ベース部材１１の凹部１１ｊの中に配置されており、凹部１１ｊの中で接続されている。すなわち、板バネ６と給電用端子１４とは、ベース部材１１の下端側で接続されており、板バネ６と給電用端子１４との接続部分は、固定体３の外部に配置されている。また、端子接続部６ｅとバネ接続部１４ｂとが接続された後の凹部１１ｊには、接着剤が充填されている。端子接続部６ｅとバネ接続部１４ｂとが接続された状態では、図１１に示すように、上下方向から見たときに、板バネ６Ａは、給電用端子１４Ａとは重なるが給電用端子１４Ｂとは重なっていない。また、板バネ６Ｂは、給電用端子１４Ｂとは重なるが給電用端子１４Ａとは重なっていない。
【００６１】
なお、板バネ６と接続される前の給電用端子１４は、ベース部材１１に固定されている。具体的には、挿通孔１１ｇに端子部１４ａが挿通され、配置孔１１ｈにバネ接続部１４ｂが挿通された状態で、給電用端子１４はベース部材１１に固定されている。また、給電用端子１４と接続される前の板バネ６は、スリーブ８に固定されている。このときには、板バネ６の端子接続部６ｅは、境界部６ｎで折り曲げられておらず、連結部６ｆと同一平面上に配置されている。この状態で、ベース部材１１のバネ固定面１１ｂに接着剤を塗布して、給電用端子１４付きのベース部材１１と板バネ６付きのスリーブ８とを組み合わせ、板バネ６の固定体固定部６ｂをバネ固定面１１ｂに固定するとともに、端子接続部６ｅおよび連結部６ｆを配置孔１１ｈに挿通する。その後、バネ接続部１４ｂの切欠き部１４ｄに端子接続部６ｅの舌部６ｈが係合するまで、端子接続部６ｅを略直角に折り曲げて、挿通孔６ｇにバネ接続部１４ｂを挿通し、半田付け等によって、バネ接続部１４ｂと端子接続部６ｅとを接続する。
【００６２】
（本形態の主な効果）
以上説明したように、本形態では、板バネ６と給電用端子１４とがベース部材１１の下端側で接続されており、板バネ６と給電用端子１４との接続部分は、固定体３の外部に配置されている。そのため、固定体３の内部に板バネ６と給電用端子１４との接続部分を配置するスペースを確保する必要がない。したがって、レンズ駆動装置１が小型化して、固定体３が小型化しても、駆動用磁石１５および駆動用コイル１６の配置スペースを固定体３の内部に確保することが可能になる。その結果、本形態では、レンズ駆動装置１が小型化しても、駆動機構４の駆動力の低下を抑制することが可能になる。
【００６３】
また、本形態では、板バネ６と給電用端子１４との接続部分が固定体３の外部に配置されているため、たとえば、板バネ６と給電用端子１４とを半田付けする際の半田が板バネ６の腕部６ｃや駆動用コイル１６に付着するといった不具合が、板バネ６と給電用端子１４との半田付け作業時に生じにくくなる。したがって、本形態では、板バネ６と給電用端子１４との半田付け作業が容易になる。
【００６４】
本形態では、連結部６ｆは、固定体固定部６ｂの前端から下方向へ略直角に折れ曲がるように形成され、端子接続部６ｅは、連結部６ｆの下端から後ろ方向へ略直角に折れ曲がるように形成されている。そのため、固定体３の内部で可動体２と固定体３とを繋ぐ板バネ６の一部を比較的簡易な構成で固定体３の外側に配置して、固定体３の外側で板バネ６と給電用端子１４とを接続することが可能になる。また、端子接続部６ｅが連結部６ｆと同一平面上に配置されている場合と比較して、板バネ６の上下方向の高さを低くすることが可能になる。したがって、本形態では、レンズ駆動装置１を上下方向で小型化することが可能になる。また、本形態では、バネ接続部１４ｂがＹＺ平面に略平行に配置され、端子接続部６ｅがＸＹ平面と略平行に配置されているため、バネ接続部１４ｂと端子接続部６ｅとの半田付け作業等の接続作業が容易になる。
【００６５】
本形態では、連結部６ｆは、上下方向に弾性変形可能となるように左右方向で蛇行している。そのため、バネ接続部１４ｂと端子接続部６ｅとの接続部分の残留応力の影響で、あるいは、レンズ駆動装置１が使用される環境温度の変化等の影響で、端子接続部６ｅを移動させるような力が端子接続部６ｅに作用しても、連結部６ｆを弾性変形させて、固定体固定部６ｂがバネ固定面１１ｂから剥がれてしまうのを防止することが可能になる。また、本形態では、連結部６ｆが左右方向で蛇行しているため、端子接続部６ｅから連結部６ｆを経由して固定体固定部６ｂへ至るまでの距離を長くすることが可能になる。したがって、たとえば、バネ接続部１４ｂと端子接続部６ｅとを半田付けして接続する際の熱であって、板バネ６を介してベース部材１１に伝達される熱の量を低減することが可能になる。その結果、本形態では、樹脂材料で形成されるベース部材１１の熱の影響による損傷を防止することが可能になる。
【００６６】
本形態では、上下方向から見たときに、板バネ６Ａは、板バネ６Ａに接続される給電用端子１４Ａとは重なるが給電用端子１４Ｂとは重なっていない。また、板バネ６Ｂは、板バネ６Ｂに接続される給電用端子１４Ｂとは重なるが給電用端子１４Ａとは重なっていない。そのため、レンズ駆動装置１に大きな衝撃が加わって、可動体２が上下方向へ大きく移動し、板バネ６が大きく撓んでも、板バネ６Ａと給電用端子１４Ｂとの接触を防止し、かつ、板バネ６Ｂと給電用端子１４Ａとの接触を防止することが可能になる。したがって、本形態では、短絡を防止することが可能になる。
【００６７】
本形態では、鉤状に形成されるバネ接続部１４ｂに係合する舌部６ｈが、端子接続部６ｅの挿通孔６ｇの縁から挿通孔６ｇの内側へ突出するように形成されている。そのため、舌部６ｈを用いて、バネ接続部１４ｂに端子接続部６ｅを仮固定することが可能になる。したがって、本形態では、端子接続部６ｅとバネ接続部１４ｂとを接続する際の作業が容易になる。特に本形態では、ＹＺ平面に略平行に配置されるバネ接続部１４ｂに対して、舌部６ｈが前方向へ突出しているため、左右方向に舌部６ｈが突出している場合と比較して、バネ接続部１４ｂに舌部６ｈが係合しやすくなる。したがって、本形態では、バネ接続部１４ｂに端子接続部６ｅを仮固定しやすくなる。また、本形態では、舌部６ｈが前方向へ突出しているため、左右方向に舌部６ｈが突出している場合と比較して、舌部６ｈの長さを長くして、舌部６ｈを撓ませやすくすることが可能になる。
【００６８】
また、本形態では、前後方向における挿通孔６ｇの最大幅Ｗ１が、前後方向におけるバネ接続部１４ｂの最大幅Ｗ２と略等しくなっているため、挿通孔６ｇに挿通されたバネ接続部１４ｂが挿通孔６ｇから抜けにくくなる。したがって、本形態では、バネ接続部１４ｂに端子接続部６ｅを仮固定しやすくなる。また、挿通孔６ｇの最大幅Ｗ１がバネ接続部１４ｂの最大幅Ｗ２と略等しくなっているため、挿通孔６ｇに挿通されたバネ接続部１４ｂに対して端子接続部６ｅが相対移動しにくくなる。したがって、本形態では、端子接続部６ｅとバネ接続部１４ｂとを接続する際の、端子接続部６ｅとバネ接続部１４ｂとの相対位置のばらつきを抑制することが可能になる。
【００６９】
本形態では、端子接続部６ｅとバネ接続部１４ｂとがベース部材１１の凹部１１ｊの中で接続され、端子接続部６ｅとバネ接続部１４ｂとが接続された後の凹部１１ｊに接着剤が充填されている。したがって、本形態では、固定体３の内部で可動体２と固定体３とを繋ぐ板バネ６の端子接続部６ｅをベース部材１１の下端側に配置するために、ベース部材１１に配置孔１１ｈが形成されていても、塵埃が凹部１１ｊに繋がる配置孔１１ｈを通過して固定体３の内部に入り込むのを防止することが可能になる。
【００７０】
本形態では、光軸方向から見たときの形状が略正方形状となるレンズ駆動装置１の四隅に駆動用磁石１５が配置されている。すなわち、本形態では、デッドスペースとなりやすいレンズ駆動装置１の四隅に駆動用磁石１５が配置されている。そのため、本形態では、レンズ駆動装置１を小型化することが可能になる。一方で、本形態では、レンズ駆動装置１の四隅に駆動用磁石１５が配置され、さらに、その外周側に駆動用コイル１６が配置されているため、仮に、固定体３の内部で板バネ６と給電用端子１４とが接続されていると、その接続作業が困難になるが、本形態では、固定体３の外側で板バネ６と給電用端子１４とが接続されているため、板バネ６と給電用端子１４との接続作業を容易に行うことが可能になる。
【００７１】
本形態では、端子接続部６ｅと連結部６ｆとの境界部６ｎの幅が連結部６ｆの全体の幅Ｗ３よりも狭くなっている。そのため、本形態では、バネ接続部１４ｂの切欠き部１４ｄに端子接続部６ｅの舌部６ｈが係合するまで、境界部６ｎを境にして端子接続部６ｅを折り曲げるときに、比較的小さな力で端子接続部６ｅを折り曲げることが可能になる。
【００７２】
（他の実施の形態）
上述した形態は、本発明の好適な形態の一例ではあるが、これに限定されるものではなく本発明の要旨を変更しない範囲において種々変形実施が可能である。
【００７３】
上述した形態では、略長方形の平板に、その左端面から右方向へ向かって切り欠かれた略Ｕ形状の切欠き部６ｊおよびその右端面から左方向へ向かって切り欠かれた略Ｕ形状の切欠き部６ｋが形成されることで、連結部６ｆが形成されている。この他にもたとえば、図１２（Ａ）に示すように、略長方形の平板に、その左端面または右端面の一方から左右方向の内側に向かって切り欠かれた略Ｕ形状の切欠き部６ｐが形成されることで、連結部６ｆが形成されても良い。この場合には、たとえば、連結部６ｆの上端側の幅は、上方向に向かうにしたがって狭くなっている。また、図１２（Ｂ）に示すように、図１２（Ａ）に示す連結部６ｆにおいて、境界部６ｎが左右方向の中心位置に形成されるように、切欠き部６ｐよりも下端側の連結部６ｆの幅が、切欠き部６ｐよりも上端側の連結部６ｆの幅より狭くなっていても良い。
【００７４】
連結部６ｆが図１２に示すように左右方向で蛇行している場合であっても、固定体固定部６ｂがバネ固定面１１ｂから剥がれてしまうのを防止することが可能になるといった上述の効果、および、樹脂材料で形成されるベース部材１１の熱の影響による損傷を防止することが可能になるといった上述の効果を得ることが可能になる。また、上述した形態では、連結部６ｆは、左右方向で蛇行しているが、連結部６ｆは、上下方向に弾性変形可能となっているのであれば、左右方向で蛇行していなくても良い。この場合であっても、固定体固定部６ｂがバネ固定面１１ｂから剥がれてしまうのを防止することが可能になるといった上述の効果を得ることが可能になる。
【００７５】
上述した形態では、端子接続部６ｅは、連結部６ｆの下端から後ろ方向へ略直角に折れ曲がるように形成されている。この他にもたとえば、端子接続部６ｅは、連結部６ｆの下端から後ろ方向へ折れ曲がるように形成されるとともに、端子接続部６ｅと連結部６ｆとのなす角度が鈍角または鋭角になるように形成されても良い。また、端子接続部６ｅは、連結部６ｆと同一平面上に形成されても良い。
【００７６】
上述した形態では、舌部６ｈは、挿通孔６ｇの後端の縁から前側へ突出している。この他にもたとえば、挿通孔６ｇの左右両端の縁または左右の一方端の縁から突出するように舌部６ｈが形成されても良い。また、上述した形態では、挿通孔６ｇに舌部６ｈが形成されているが、挿通孔６ｇに舌部６ｈが形成されていなくても良い。また、上述した形態では、バネ接続部１４ｂは鉤状に形成されているが、バネ接続部１４ｂは鉤状に形成されていなくても良い。
【００７７】
上述した形態では、ベース部材１１の凹部１１ｊが形成され、端子接続部６ｅとバネ接続部１４ｂとが凹部１１ｊの中で接続されている。この他にもたとえば、ベース部材１１の凹部１１ｊが形成されずに、上下方向におけるベース部材１１の下面１１ｄと外周壁部１１ｅの下端との間で、端子接続部６ｅとバネ接続部１４ｂとが接続されても良い。
【００７８】
上述した形態では、駆動機構４は、略三角柱状に形成されレンズ駆動装置１の四隅に配置される駆動用磁石１５と、略四角筒状に巻回されて形成され駆動用磁石１５の外周側に配置される駆動用コイル１６とを備えている。この他にもたとえば、駆動機構４は、スリーブ８の外周側に巻回される駆動用コイルと、レンズ駆動装置１の４つの側面のそれぞれに沿って配置され駆動用コイルの外周面に対向する駆動用磁石とを備えていても良い。また、駆動機構４は、スリーブ８の外周側に巻回される駆動用コイルと、レンズ駆動装置１の四隅に配置され駆動用コイルの外周面に対向する駆動用磁石とを備えていても良い。
【００７９】
上述した形態では、レンズ駆動装置１は、光軸方向から見たときの形状が略正方形状となるように形成されているが、レンズ駆動装置１は、光軸方向から見たときの形状が略長方形状となるように形成されても良い。また、レンズ駆動装置１は、光軸方向から見たときの形状が略六角形状等の多角形状となるように形成されても良いし、光軸方向から見たときの形状が円形状や楕円形状となるように形成されても良い。
【符号の説明】
【００８０】
１  レンズ駆動装置
２  可動体
３  固定体
４  駆動機構
６（６Ａ）  板バネ（一方の板バネ）
６（６Ｂ）  板バネ（他方の板バネ）
６ｂ  固定体固定部
６ｅ  端子接続部
６ｆ  連結部
６ｇ  挿通孔
６ｈ  舌部
１１  ベース部材
１１ｈ  配置孔
１１ｊ  凹部
１４（１４Ａ）  給電用端子（一方の給電用端子）
１４（１４Ｂ）  給電用端子（他方の給電用端子）
１４ｂ  バネ接続部
１５  駆動用磁石
１６  駆動用コイル
Ｌ  光軸
Ｗ１  挿通孔の最大幅
Ｗ２  バネ接続部の最大幅
Ｘ  バネ接続部の厚み方向
Ｚ  光軸方向
Ｚ１  光軸方向の他端側
Ｚ２  光軸方向の一端側
【図１】
0005832233.tif 000002
【図２】
0005832233.tif 000003
【図３】
0005832233.tif 000004
【図４】
0005832233.tif 000005
【図５】
0005832233.tif 000006
【図６】
0005832233.tif 000007
【図７】
0005832233.tif 000008
【図８】
0005832233.tif 000009
【図９】
0005832233.tif 000010
【図１０】
0005832233.tif 000011
【図１１】
0005832233.tif 000012
【図１２】
0005832233.tif 000013